(57)【特許請求の範囲】
【請求項１】
ドーム状の躯体と、
当該躯体に被せる透明シートと、
前記躯体に前記透明シートを固定するクリップと、
当該躯体の一方の側面側の前記透明シートに設けた医師腕孔と、
前記躯体の他方の側面側と、頂部の前記透明シートに設けた看護師腕孔と、
を備えたことを特徴とするエアロゾルカバー。
【請求項２】
前記ドーム状の躯体が、
前後のアーチ状のフレームと、
当該前後のアーチ状のフレームを連結する複数の連結フレームと
を備えた請求項１に記載のエアロゾルカバー。
【請求項３】
当該前後のアーチ状のフレームと複数の連結フレームとの連結が着脱自在である請求項２に記載のエアロゾルカバー。
【請求項４】
前記一方の側面の医師腕孔と、他方の側面の看護師腕孔が対称の位置である請求項１に記載のエアロゾルカバー。
【請求項５】
前記透明シートに開けられた３つの腕孔が、スリットで構成される請求項１から４のいずれかに記載のエアロゾルカバー。
【発明の詳細な説明】
【技術分野】
【０００１】
本発明はエアロゾルカバーに関し、特に、医療用のエアロゾルカバーに関するものである。
【背景技術】
【０００２】
医療現場で使用するエアロゾルカバーとして、医師や看護師自身の顔の前面を覆うフェイスシールドがあるが、当該フェイスシールドは医師や看護師から発するエアロゾルの拡散を防止することができても患者から発するエアロゾルの拡散を防止することはできない。患者の息や咳、くしゃみが原因で発生するエアロゾルを遮断するには患者自身に覆いを被せる必要がある。
【０００３】
そこで、患者がベッドに寝た状態の頭部に被せて、治療行為をしやすくするエアロゾルボックスが市販されている。
【０００４】
図６は上記市販のエアロゾルボックス１００の一例を示すものである。
【０００５】
透明樹脂で、患者の頭部を左右の側板１０１ａ、１０１ｂ、天板１０１ｃ、および後方板１０１ｄで覆い、前方は空いた状態で、患者の頭部に被せるボックス型の覆いとなっており、前記後方板には２つの腕孔１０２が開けられている。
このボックス型の覆いを、ベッドに横たわった状態の患者に対して、前記後方板１０１ｄが頭の後方に位置するように被せ、医師は前記後方板１０１ｄに開けられた腕孔１０２から左右の手を挿入して治療行為をするようになっている。
【発明の概要】
【発明が解決しようとする課題】
【０００６】
上記従来のエアロゾルボックス１００は、一回の治療行為のために使用したあとは必ず滅菌・洗浄・消毒をする必要がある。滅菌・洗浄・消毒は高温の蒸気中で行われるところから、使用する樹脂材料に限りがあり、十分な耐熱性を持った樹脂材料を使用すると、必然的に高価となる。また、消毒剤で十分に拭き取ったつもりでも、角部にウィルスや菌がのこり、2次感染を起こす可能性がある。更に、かさ高いところから、滅菌・洗浄・消毒時に多大の空間を要することになる。
【０００７】
また、医師が腕孔から手を入れて治療等の必要な処置をするのであるが、その間に患者が医師の意図しない動きをすることがあり、看護師が補助をする必要がある場合があるが、上記の構成では、この時に看護師が患者の動きを抑える等の補助行為ができない。
【０００８】
また、医師が腕孔から手を挿入していないときは腕孔は空いた状態であるので、患者からのエアロゾルが拡散するおそれがある。
【０００９】
更に、ボックスの前方は患者の頭部を入れるために空いているが、治療中に咳やくしゃみで、エアロゾルが当該前部から漏れるおそれがある。
【００１０】
本発明は上記従来の事情に鑑みて提案されたものであって、基本的には滅菌・洗浄・消毒がしやすく、看護師も医師の行為を補助する目的で腕を挿入でき、しかも、腕孔や前方からエアロゾルが漏洩するおそれがないエアロゾルボックスを提供することを目的とする。
【課題を解決するための手段】
【００１１】
本発明は以下の構成よりなる。
【００１２】
ドーム状の躯体に透明シートが被せられる。当該透明シートはクリップで前記躯体に固定される。当該躯体の一方の側面側の前記透明シートに医師腕孔が設けられ、また、看護師腕孔が前記躯体の他方の側面と、頂部の前記透明シートに設けられる。
【００１３】
前記ドーム状の躯体は、前後のアーチ状のフレームと、当該前後のアーチ状のフレームを連結する複数の連結フレームとを備えた構成とする。当該前後のアーチ状のフレームと複数の連結フレームとの連結は溶接等の固定的な手段であってもよいが、着脱自在にすると、使用後の滅菌・洗浄・消毒が容易となる。また、前記一方の側面の医師腕孔と、他方の側面の看護師腕孔が対称の位置とすると、製作が容易となる（詳しくは後述）。更に、前記透明シートに開けられた３つの腕孔を、スリットで構成すると、製作が容易であるとともに、エアロゾルの漏洩を防止することができる。
【発明の効果】
【００１４】
上記の構成により、前記一方の側面の医師腕孔から、医師が治療をし、他方の側面とドームの頂部の看護師腕孔から看護師が医師の補助をすることができる。また、使用したシートは一回ごとに廃棄することで、滅菌・洗浄・消毒の手間が省ける。また、アーチ状のフレームと連結フレームとを着脱自在とすることによって、滅菌・洗浄・消毒がし易く、収納に多くの容積を必要としない。また、前記一方の側面の医師腕孔と、他方の側面の看護師腕孔が対称の位置とすると、製作が容易となる（詳しくは後述）。更に、前記透明シートに開けられた３つの腕孔を、スリットで構成すると、製作が容易であるとともに、エアロゾルの漏洩を防止することができる。
【図面の簡単な説明】
【００１５】
【図１】本発明の躯体を示す斜視図である。
【図２】本発明の斜視図である。
【図３】クリップの一例を示す図である。
【図４】本発明の使用状態を示す図である。
【図５】本発明に使用する透明シートを半分に折った状態を示す図である。
【図６】従来のエアロゾルボックスを示す斜視図である。
【発明を実施するための形態】
【００１６】
＜構成＞
まず、図１に示すように、前後のアーチ状のフレーム１１ａ、１１ｂを複数の連結フレーム１２で相互に連結することによって、ドーム状の躯体１０を形成する。当該連結は溶接等、永久的な固定手段を用いてもよいが、連結部に所定径のボルトが貫通するボス孔を設けて、前記ボルトをナットで締め付ける構成として、組み立て可能にするのがよい。連結箇所は、図面上はアーチの頂点を外れた両脇と、脚部であるが、強度が確保されること、アーチの頂点部は後に記載する理由から避けることの条件を満たせばよい。
【００１７】
図２に示すように、使用状態では、上記ドーム状の躯体１０に、複数の腕孔（後述）を持った透明のシート２０が被せられ固定される。当該固定には前記アーチ状フレーム１１ａ、１１ｂと連結フレーム１２に対して、専用のクリップ（後述）あるいは市販のクリップ３０を用いることができる。
【００１８】
図２に示すように、透明シート２０が被せられた状態で、当該透明シート２０の、躯体１０の両側面の対向箇所にスリット状の腕孔２１（２１ａ、２１ｂ）が、また躯体１０の頂部に同じくスリット状の腕孔２１（２１ｃ）が設けられた状態となる。これら各腕孔２１の機能については後述する。
【００１９】
上記のクリップ３０の構成は種々提案することができる。例えば、各フレームとして鉄分の多い素材を使用し、必要箇所を磁石片で抑えることができる。また、図２に一例として示すように板バネや線バネを使用した、挟み状のクリップであってもよい。
【００２０】
当該エアロゾルカバーの前記透明シート３０は後述するように、躯体１０の内側に固定すると、使用後に躯体１０を滅菌・洗浄・消毒する必要がなくなる。しかしながら、躯体１０の内側に透明シート２０を固定するとなると、角が突き出した状態となる前記挟み状のクリップ３０は使用できない。そこで、この場合は前記した磁石をクリップ３０として利用するか、以下の構成の専用のクリップを用いることができる。
【００２１】
図３ａに示すように所定長さの板ばねの両端を、前記アーチ状フレーム１１ａ、１１ｂや連結フレーム１２の幅よりやや広い幅で内側に折り込んで緩やかに前記各フレーム１１ａ、１１ｂ、１２（図面上は符号１１ａのみ）よりやや狭い幅にまで湾曲させ、更に、その先端は各フレームよりやや広い幅にまで湾曲させてＣ形状を形成し、両端のC形状が互いに背中を向かい合わせた構成とする。
【００２２】
上記構成のクリップ３０を図３ｂに示すように、前記シート２０の上から各フレーム（ここではアーチ状フレーム１１ａを描いている）に対して上から押し込んで、前記２つのC形状の背中の弾性でフレームに対して透明シート２０の上から抑え込むようにする。外すときは前記２つC形状の部分の弾性に抗してクリップ３０を抜き取ることになる。
＜使用＞
以上の構成のエアロゾルカバーを使用する方法について説明する。
【００２３】
まず、躯体１０が組み立て式である場合は、各固着部にボルトを挿入し、ナットを締め付けることでドーム状の躯体１０を組み立てる。ここでナットとしては、手で締め込みができる蝶ナットＡを用いると、工具を用いる必要がなく便利である。
【００２４】
このようにして組み立てたドーム状の躯体１０に前記透明シート１０をクリップ３０で固定して、図４に示すように、患者５０の顔を覆うように被せる。すなわち一方のアーチ状のフレーム１１ａが患者の肩の位置に、他方のアーチ状のフレーム１１ｂが患者の頭の後方に位置するように、患者の顔に被せる。
【００２５】
この状態で、顔の左右はもとより、胸にも前記透明シート２０が被り、また頭の後方のベッド上にも被る状態が形成される。
【００２６】
この状態で、患者の一方の側に医師が立ち、他方の側に看護師が立って、医師が必要な処置を患者に施す場合を想定する。躯体１０の一方の側面に立った医師は、当該側面に設けられた腕孔２１ａから患者の気管や食道への機器の挿入、（図２では内視鏡４０を描いている）鼻や口からの粘液の採取当の作業を行う。一方、他方の側に立った看護師は、右手（左手）を当該側面に開けた腕孔２１ｂから、左手（右手）を頭上の腕孔２１cから挿入して、患者の頭を押さえ、医師の治療時に患者が動かないように補助する。
【００２７】
上記のように看護師は左右の手をドーム内に挿入することになるので、一方の腕孔２１ｂは医師腕孔２１ａと対称位置になるが、もう一方の腕孔２１ｃはドームの頂点位置であって、前記腕孔２１ａ、２１ｂとは肩幅を保った位置とされる。
【００２８】
必要な処置が終わると、クリップ３０を外して透明シート２０は廃棄し、躯体１０は滅菌・洗浄・消毒することになる。このように骨組みだけの躯体１０を滅菌・洗浄・消毒する作業は、従来のボックス型のエアロゾルカバーを滅菌・洗浄・消毒をするより遥かに労が少なく、特に組み立てを解いた躯体１０を滅菌・洗浄・消毒する場合は非常の労力が軽減される。更に、躯体１０の内側に透明シート２０を固定した場合には当該躯体１０の内側に露出しているクリップ３０のみを滅菌・洗浄・消毒すれば足りることになる。
【００２９】
図５は透明シートを半分に折りたたんだ状態での各腕孔２１の位置を示すものである。前記躯体の側面に位置する医師腕孔２１ａと看護師腕孔２１ｂは対称に位置にあるので、加工時に一方の側からナイフを差し込めば足りる。また、躯体の上端に位置する看護師腕孔２１ｃは織り込んだ透明シートの折れ線３０’側から直角に挟みを入れれば足りることになる。
【００３０】
このようにして成形した各腕孔２１ａ〜２１ｃはスリット状となり、医師や看護師が腕を入れる前後、あるいは腕を入れた状態であっても患者から発生するエアロゾルが漏れる恐れが非常に少なくなる利点がある。
【産業上の利用可能性】
【００３１】
以上説明したように、以下のように様々な利点があるところから、医療業への応用は極めて有効であると考えられる。すなわち、前記一方の側面の医師腕孔から、医師が治療をし、他方の側面とドームの頂部の看護師腕孔から看護師が医師の補助をすることができる。また、使用したシートは一回ごとに廃棄することで、滅菌・洗浄・消毒の手間が省ける。また、アーチ状のフレームと連結フレームとを着脱自在とすることによって、滅菌・洗浄・消毒がし易く、収納に多くの容積を必要としない。また、前記一方の側面の医師腕孔と、他方の側面の看護師腕孔が対称の位置とすると、製作が容易となる。更に、前記透明シートに開けられた３つの腕孔を、スリットで構成すると、製作が容易であるとともに、エアロゾルの漏洩を防止することができる。
【符号の説明】
【００３２】
１０    躯体
１１（１１ａ、１１ｂ）  アーチ状フレーム
１２    連結フレーム
２０    透明シート
２０’  透明シートの折れ線
２１（２１ａ、２１ｂ、２１ｃ）    腕孔
３０    クリップ
【要約】
【課題】滅菌・洗浄・消毒が簡単で取り扱いが手軽なエアロゾルカバー。
【解決手段】ドーム状の躯体に透明シートが被せられる。当該透明シートはクリップで前記躯体に固定される。当該躯体の一方の側面側の前記透明シートに医師腕孔が設けられ、また、看護師腕孔が前記躯体の他方の側面と、頂部の前記透明シートに設けられる。前記ドーム状の躯体は、前後のアーチ状のフレームと、当該前後のアーチ状のフレームを連結する複数の連結フレームとを備えた構成とする。当該前後のアーチ状のフレームと複数の連結フレームとの連結は溶接等の固定的な手段であってもよいが、着脱自在にすると、使用後の滅菌・洗浄・消毒が容易となる。
【選択図】図２【図１】
0006846073.tif 000002
【図２】
0006846073.tif 000003
【図３】
0006846073.tif 000004
【図４】
0006846073.tif 000005
【図５】
0006846073.tif 000006
【図６】
0006846073.tif 000007